【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
画像データをテンプレートに割り当てることでレイアウトデータを作成する情報処理装置のコンピュータに、
前記画像データを入力する入力ステップと、
前記入力された前記画像データから、前記画像データの撮影場所情報及び撮影期間情報のうち少なくとも１つを取得する取得ステップと、
前記情報処理装置によって記憶されているテンプレート群から、前記撮影場所情報及び前記撮影期間情報のうち少なくとも１つに対応するデザインのテンプレートを、ユーザの選択を受け付けることなく自動で選択する選択ステップと、
前記選択されたテンプレートに対して前記画像データが割り当てられることで作成される前記レイアウトデータを出力する出力ステップと
を実行させることを特徴とするプログラム。
【請求項２】
前記取得ステップでは、前記撮影場所情報と前記撮影期間情報が取得され、
前記選択ステップでは、前記撮影場所情報と前記撮影期間情報の両方に対応するデザインのテンプレートが自動で選択されることを特徴とする請求項１に記載のプログラム。
【請求項３】
前記撮影場所情報は、施設内の撮影エリアの識別情報であることを特徴とする請求項１又は２に記載のプログラム。
【請求項４】
前記撮影エリアの識別情報は、撮影者によって前記画像データに設定されることを特徴とする請求項３に記載のプログラム。
【請求項５】
前記撮影エリアの識別情報は、Ｇｌｏｂａｌ  Ｐｏｓｉｔｉｏｎｉｎｇ  Ｓｙｓｔｅｍを利用して前記画像データに設定されることを特徴とする請求項３に記載のプログラム。
【請求項６】
前記情報処理装置によって記憶されているテンプレート群は、同一の撮影エリアにおいて異なる撮影期間に応じたテンプレートを含むことを特徴とする請求項１乃至５のいずれか１項に記載のプログラム。
【請求項７】
前記取得ステップでは、前記画像データを仮テンプレートにレイアウトした後、前記仮テンプレートにレイアウトされた画像データから前記撮影場所情報及び前記撮影期間情報のうち少なくとも１つが取得され、
前記選択ステップでは、前記仮テンプレートに対応するテンプレート群から前記撮影場所情報及び前記撮影期間情報のうち少なくとも１つに対応するデザインのテンプレートが自動で選択されることを特徴とする請求項１乃至６のいずれか１項に記載のプログラム。
【請求項８】
前記画像データの数がフォトアルバムのページ数に満たない場合に、補充用画像データを追加する追加ステップをさらに実行させることを特徴とする請求項１乃至７のいずれか１項に記載のプログラム。
【請求項９】
前記情報処理装置によって記憶されているテンプレート群は、前記補充用画像データに対応するテンプレートを含むことを特徴とする請求項８に記載のプログラム。
【請求項１０】
前記補充用画像データが割り当てられている前記レイアウトデータは、前記補充用画像データに対応するテンプレートに前記補充用画像データが割り当てられることで生成されることを特徴とする請求項９に記載のプログラム。
【請求項１１】
前記レイアウトデータが複数生成されることで、フォトアルバムを作成するためのアルバムデータが生成されることを特徴とする請求項１乃至１０のいずれか１項に記載のプログラム。
【請求項１２】
前記情報処理装置によって記憶されているテンプレート群は、前記フォトアルバムにおけるページ番号を有し、
前記選択ステップでは、生成対象の前記レイアウトデータに対応する前記ページ番号を有するテンプレートが選択されることを特徴とする請求項１１に記載のプログラム。
【請求項１３】
前記レイアウトデータの出力は、前記レイアウトデータのアップロード又は、前記レイアウトデータに基づく印刷の実行であることを特徴とする請求項１乃至１２のいずれか１項に記載のプログラム。
【請求項１４】
前記入力された前記画像データを、スコアリングするステップをさらに実行させ、
前記入力された前記画像データが、前記スコアリングにより求められたスコアに基づいて、仮テンプレートに割り当てられることを特徴とする請求項１乃至１３のいずれか１項に記載のプログラム。
【請求項１５】
ユーザに対応するＩＤを読み取る読み取りステップをさらに実行させ、
前記入力される前記画像データは、前記読み取られたＩＤに対応する前記画像データであることを特徴とする請求項１乃至１４のいずれか１項に記載のプログラム。
【請求項１６】
１つのテンプレートに複数の前記画像データが割り当てられ、且つ複数の前記画像データから取得される複数の前記撮影場所情報が、それぞれ異なる場合、それぞれ異なる複数の前記撮影場所情報に対応するデザインのテンプレートが選択されることを特徴とする請求項１乃至１５のいずれか１項に記載のプログラム。
【請求項１７】
複数のテンプレートに前記画像データが割り当てられることで、複数の前記レイアウトデータが生成され、
前記取得されたテンプレート群に、前記取得された前記撮影場所情報及び前記撮影期間情報のうち少なくとも１つに対応するデザインのテンプレートが複数含まれる場合、前記取得された前記撮影場所情報及び前記撮影期間情報のうち少なくとも１つに対応するデザインの複数のテンプレートのうち、既に生成された前記レイアウトデータに用いられていないテンプレートに、前記画像データが割り当てられることを特徴とする請求項１乃至１６のいずれか１項に記載のプログラム。
【請求項１８】
画像データをテンプレートに割り当てることでレイアウトデータを作成する情報処理装置によって実行される情報処理方法であって、
前記画像データを入力する入力ステップと、
前記入力された前記画像データから、前記画像データの撮影場所情報及び撮影期間情報のうち少なくとも１つを取得する取得ステップと、
前記情報処理装置によって記憶されているテンプレート群から、前記撮影場所情報及び前記撮影期間情報のうち少なくとも１つに対応するデザインのテンプレートを、ユーザの選択を受け付けることなく自動で選択する選択ステップと、
前記選択されたテンプレートに対して前記画像データが割り当てられることで作成される前記レイアウトデータを出力する出力ステップと
を含むことを特徴とする情報処理方法。
【請求項１９】
画像データをテンプレートに割り当てることでレイアウトデータを作成する情報処理装置であって、
前記画像データを入力する入力手段と、
前記入力された前記画像データから、前記画像データの撮影場所情報及び撮影期間情報のうち少なくとも１つを取得する取得手段と、
前記情報処理装置によって記憶されているテンプレート群から、前記撮影場所情報及び前記撮影期間情報のうち少なくとも１つに対応するデザインのテンプレートを、ユーザの選択を受け付けることなく自動で選択する選択手段と、
前記選択されたテンプレートに対して前記画像データが割り当てられることで作成される前記レイアウトデータを出力する出力手段と
を有することを特徴とする情報処理装置。
【手続補正２】
【補正対象書類名】明細書
【補正対象項目名】０００７
【補正方法】変更
【補正の内容】
【０００７】
本発明の一実施例におけるプログラムは、画像データをテンプレートに割り当てることでレイアウトデータを作成する情報処理装置のコンピュータに、前記画像データを入力する入力ステップと、前記入力された前記画像データから、前記画像データの撮影場所情報及び撮影期間情報のうち少なくとも１つを取得する取得ステップと、前記情報処理装置によって記憶されているテンプレート群から、前記撮影場所情報及び前記撮影期間情報のうち少なくとも１つに対応するデザインのテンプレートを、ユーザの選択を受け付けることなく自動で選択する選択ステップと、前記選択されたテンプレートに対して前記画像データが割り当てられることで作成される前記レイアウトデータを出力する出力ステップとを実行させることを特徴とする。